(57)【要約】【課題】パネルＩＤが付与された緑化パネルの設置日時、メンテナンス日等の管理情報をサーバで管理し、緑化パネルの最適なメンテナンス時期にパネル情報の通知を行うことができる緑化パネルメンテナンスシステム等を提供する。【解決手段】サーバ１０３は、抽出条件に従い、緑化パネルメンテナンス履歴情報の中からメンテナンス対象の緑化パネル１０９を抽出する（Ｓ８０１）。抽出した緑化パネル１０９のパネルＩＤを携帯端末１０５に送信する（Ｓ８０３）。携帯端末１０５は、メンテナンス対象のパネルＩＤを表示し（Ｓ８０５）、作業者はパネルＩＤに従いメンテナンス作業を行い、作業終了後、当該パネルＩＤを入力し（Ｓ８０７）、パネルＩＤを送信する（Ｓ８０９）。サーバ１０３は、受信したパネルＩＤをキーに緑化パネルメンテナンス履歴情報を検索し、当該緑化パネルのメンテナンス履歴情報にメンテナンス日時を上書きで更新する（Ｓ８１１）。【選択図】図１
2010287003.tif 000002
【特許請求の範囲】
【請求項１】
パネルＩＤが付与された緑化パネルと、緑化パネルメンテナンス管理サーバと、携帯端末とから構成される緑化パネルメンテナンスシステムであって、
前記緑化パネルメンテナンス管理サーバは、
パネルＩＤと作業日時情報を関連付けた緑化パネルメンテナンス履歴情報を記録する履歴情報記録手段と、
メンテナンス対象緑化パネルを前記緑化パネルメンテナンス履歴情報から抽出する抽出条件を記録する抽出条件記録手段と、
前記抽出条件で前記緑化パネルメンテナンス履歴情報からメンテナンス対象緑化パネルを抽出する抽出手段と、
パネルＩＤと当該緑化パネルの設置位置情報を関連付けた緑化パネル設置位置情報を記録する設置位置情報記録手段と、
前記メンテナンス対象緑化パネルの設置位置情報を前記携帯端末に通知する通知手段と、
を備え、
前記携帯端末は、
緑化パネルのパネルＩＤを入力する入力手段と、
メンテナンス対象緑化パネルの設置位置情報を受信する受信手段と、
メンテナンス履歴情報を送信する送信手段と、
を備えることを特徴とする緑化パネルメンテナンスシステム。
【請求項２】
更に、天候情報を収集し、前記緑化パネルメンテナンス管理サーバに送信するセンサを含み、
前記緑化パネルメンテナンス管理サーバは、
前記センサから受信する天候情報を記録する天候情報記録手段、
を更に備え、
前記抽出手段は、前記抽出条件とともに、前記天候情報記録手段が記録した天候情報を参照してメンテナンス対象緑化パネルを抽出することを特徴とする請求項１に記載の緑化パネルメンテナンスシステム。
【請求項３】
前記緑化パネルメンテナンス管理サーバは、
前記センサの設置情報を記録する設置情報記録手段と、
前記設置情報記録手段が記録したセンサ設置情報よりセンサＩＤとセンサ設置位置を取得し、当該センサに天候情報を問い合わせる問い合わせ手段と、
を更に備えることを特徴とする請求項２に記載の緑化パネルメンテナンスシステム。
【請求項４】
前記緑化パネルメンテナンス管理サーバは、
各緑化パネルの植生情報を記録する植生情報記録手段と、
顧客との緑化パネル設置契約時の契約種別とパネルＩＤを関連付けた契約種別情報を記録する契約種別情報記録手段と、
前記緑化パネルメンテナンス履歴情報と、前記植生情報記録手段で記録した植生情報と、前記契約種別情報記録手段で記録した契約種別情報とから、顧客に対する植生変更提案の可否を判定する植生変更提案可否判定手段と、
を更に備えることを特徴とする請求項１に記載の緑化パネルメンテナンスシステム。
【請求項５】
緑化パネルのメンテナンス履歴情報を管理する緑化パネルメンテナンス管理サーバであって、
パネルＩＤと作業日時情報を関連付けた緑化パネルメンテナンス履歴情報を記録する履歴情報記録手段と、
前記メンテナンス対象緑化パネルを前記緑化パネルメンテナンス履歴情報から抽出する抽出条件を記録する抽出条件記録手段と、
前記抽出条件で前記緑化パネルメンテナンス履歴情報からメンテナンス対象緑化パネルを抽出する抽出手段と、
パネルＩＤと当該緑化パネルの設置位置情報を関連付けた緑化パネル設置位置情報を記録する設置位置情報記録手段と、
メンテナンス対象緑化パネルの設置位置情報を前記携帯端末に通知する通知手段と、
を備えることを特徴とする緑化パネルメンテナンス管理サーバ。
【請求項６】
パネルＩＤが付与された緑化パネルと、緑化パネルメンテナンス管理サーバと、携帯端末とから構成される緑化パネルメンテナンスシステムによる緑化パネルメンテナンス方法であって、
前記携帯端末がパネルＩＤを入力するステップと、
前記携帯端末がパネルＩＤを送信するステップと、
前記緑化パネルメンテナンス管理サーバが前記携帯端末から受信したパネルＩＤと作業日時情報を緑化パネルメンテナンス履歴情報に記録するステップと、
前記緑化パネルメンテナンス管理サーバが緑化パネルメンテナンス履歴情報よりメンテナンス対象緑化パネルを抽出するステップと、
前記緑化パネルメンテナンス管理サーバがメンテナンス対象緑化パネルの設置位置情報を通知するステップと、
前記携帯端末がメンテナンス終了後のパネルＩＤを送信するステップと、
前記緑化パネルメンテナンス管理サーバがパネルＩＤとメンテナンス実行日時等履歴情報を緑化パネルメンテナンス履歴情報に記録するステップと、
を備えることを特徴とする緑化パネルメンテナンス方法。
【請求項７】
コンピュータを請求項５に記載の緑化パネルメンテナンス管理サーバとして機能させるプログラム。
【請求項８】
コンピュータを請求項５に記載の緑化パネルメンテナンス管理サーバとして機能させるプログラムを記録したコンピュータ読み取り可能な記録媒体。
【発明の詳細な説明】
【技術分野】
【０００１】
本発明は、パネルＩＤが付与された緑化パネルの設置日時、メンテナンス日時等の管理情報をメンテナンス管理サーバで管理し、緑化パネルのメンテナンス時期等の通知を行う緑化パネルメンテナンスシステムに関する。
【背景技術】
【０００２】
従来、複数個所に複数枚の緑化パネルを設置した場合、メンテナンスを実施すべき緑化パネルがどこに設置されているかを容易に知る手段がなかった。また、緑化パネルの植生種別や交換履歴に応じたメンテナンス管理が複雑になり、その結果メンテナンスの間隔が長くなってしまい緑化部分が枯れてしまう可能性があった。
先行技術として、樹木にバーコードを付与し樹木管理情報を管理するシステムが開示されている。（特許文献１を参照）
樹木名、科名、属名等の認識情報を表示したバーコードを樹木に付与し、バーコードを携帯端末で読み取り樹木管理センタ内のデータベースに反映する。これにより樹木の管理情報を一元管理することが可能となる。
【先行技術文献】
【特許文献】
【０００３】
【特許文献１】特開２００５−２６９９５８号公報
【発明の概要】
【発明が解決しようとする課題】
【０００４】
しかしながら、特許文献１に記載の発明では、植物にＩＤが付与されておらず、ＩＤをもとにした植物の設置日時やメンテナンス実行日時等のメンテナンス情報を管理することができない。
また、抽出条件に応じて次回メンテナンス時期を判定し、条件に該当する植物のＩＤを作業者に通知する手段もない。
【０００５】
本発明は、前述した問題点に鑑みてなされたもので、その目的は、パネルＩＤが付与された緑化パネルの設置日時、メンテナンス日等の管理情報をメンテナンス管理サーバで管理し、緑化パネルの最適なメンテナンス時期にパネル情報の通知を行う緑化パネルメンテナンスシステムを提供することである。
【課題を解決するための手段】
【０００６】
前述した目的を達成するために第１の発明は、パネルＩＤが付与された緑化パネルと、緑化パネルメンテナンス管理サーバと、携帯端末とから構成される緑化パネルメンテナンスシステムであって、前記緑化パネルメンテナンス管理サーバは、パネルＩＤと作業日時情報を関連付けた緑化パネルメンテナンス履歴情報を記録する履歴情報記録手段と、メンテナンス対象緑化パネルを前記緑化パネルメンテナンス履歴情報から抽出する抽出条件を記録する抽出条件記録手段と、前記抽出条件で前記緑化パネルメンテナンス履歴情報からメンテナンス対象緑化パネルを抽出する抽出手段と、パネルＩＤと当該緑化パネルの設置位置情報を関連付けた緑化パネル設置位置情報を記録する設置位置情報記録手段と、前記メンテナンス対象緑化パネルの緑化パネル設置位置情報を前記携帯端末に通知する通知手段と、を備え、前記携帯端末は、緑化パネルのパネルＩＤを入力する入力手段と、メンテナンス対象緑化パネルのパネル情報を受信する受信手段と、メンテナンス履歴情報を送信する送信手段と、を備えることを特徴とする緑化パネルメンテナンスシステムである。第１の発明に係る緑化パネルメンテナンスシステムを使用することによって、パネルＩＤが付与された緑化パネルの設置日時、メンテナンス日等の管理情報をメンテナンス管理サーバで管理し、緑化パネルの最適なメンテナンス時期にパネル情報の通知を行うことができる。
【０００７】
また、更に、天候情報を収集し、前記緑化パネルメンテナンス管理サーバに送信するセンサを含み、前記緑化パネルメンテナンス管理サーバは、前記センサから受信する天候情報を記録する天候情報記録手段、を更に備え、前記抽出手段は、前記抽出条件とともに、前記天候情報記録手段が記録した天候情報を参照してメンテナンス対象緑化パネルを抽出するものが望ましい。これにより、より最適なメンテナンス時期に通知を行うことが可能となる。
【０００８】
また、前記緑化パネルメンテナンス管理サーバは、前記センサの設置情報を記録する設置情報記録手段と、前記設置情報記録手段が記録したセンサ設置情報よりセンサＩＤとセンサ設置位置を取得し、当該センサに天候情報を問い合わせる問い合わせ手段と、を更に備えることが望ましい。これにより、最適なメンテナンス時期を判定することが可能となる。
【０００９】
前記緑化パネルメンテナンス管理サーバは、各緑化パネルの植生情報を記録する植生情報記録手段と、顧客との緑化パネル設置契約時の契約種別とパネルＩＤを関連付けた契約種別情報を記録する契約種別情報記録手段と、前記緑化パネルメンテナンス履歴情報と、前記植生情報記録手段で記録した植生情報と、前記契約種別情報記録手段で記録した契約種別情報とから、顧客に対する植生変更提案の可否を判定する植生変更提案可否判定手段と、を更に備えても良い。これにより、緑化パネルの維持メンテナンスが容易になるとともに、顧客ごとに適切な植生種別の緑化パネルを提案することができる。
【００１０】
第２の発明は、緑化パネルのメンテナンス履歴情報を管理する緑化パネルメンテナンス管理サーバであって、パネルＩＤと作業日時情報を関連付けた緑化パネルメンテナンス履歴情報を記録する履歴情報記録手段と、前記メンテナンス対象緑化パネルを前記緑化パネルメンテナンス履歴情報から抽出する抽出条件を記録する抽出条件記録手段と、前記抽出条件で前記緑化パネルメンテナンス履歴情報からメンテナンス対象緑化パネルを抽出する抽出手段と、パネルＩＤと当該緑化パネルの設置位置情報を関連付けた緑化パネル設置位置情報を記録する設置位置情報記録手段と、メンテナンス対象緑化パネルの緑化パネル設置位置情報を前記携帯端末に通知する通知手段と、を備えることを特徴とする緑化パネルメンテナンス管理サーバである。第２の発明に係る緑化パネルメンテナンス管理サーバを使用することによって、パネルＩＤが付与された緑化パネルの設置日時、メンテナンス日等の管理情報をメンテナンス管理サーバで管理し、緑化パネルの最適なメンテナンス時期にパネル情報の通知を行うことができる。
【００１１】
第３の発明は、パネルＩＤが付与された緑化パネルと、緑化パネルメンテナンス管理サーバと、携帯端末とから構成される緑化パネルメンテナンスシステムによる緑化パネルメンテナンス方法であって、前記携帯端末がパネルＩＤを入力するステップと、前記携帯端末がパネルＩＤを送信するステップと、前記緑化パネルメンテナンス管理サーバが前記携帯端末から受信したパネルＩＤと作業日時情報を緑化パネルメンテナンス履歴情報に記録するステップと、前記緑化パネルメンテナンス管理サーバが緑化パネルメンテナンス履歴情報よりメンテナンス対象緑化パネルを抽出するステップと、前記緑化パネルメンテナンス管理サーバがメンテナンス対象緑化パネルの緑化パネル設置位置情報を通知するステップと、前記携帯端末がメンテナンス終了後のパネルＩＤを送信するステップと、前記緑化パネルメンテナンス管理サーバがパネルＩＤとメンテナンス実行日時等履歴情報を緑化パネルメンテナンス履歴情報に記録するステップと、を備えることを特徴とする緑化パネルメンテナンス方法である。第３の発明に係る緑化パネルメンテナンス方法を使用することによって、パネルＩＤが付与された緑化パネルの設置日時、メンテナンス日等の管理情報をメンテナンス管理サーバで管理し、緑化パネルの最適なメンテナンス時期にパネル情報の通知を行うことができる。
【００１２】
第４の発明は、コンピュータを前記緑化パネルメンテナンス管理サーバとして機能させるプログラムである。第４の発明に係るプログラムを使用することによって、パネルＩＤが付与された緑化パネルの設置日時、メンテナンス日等の管理情報をメンテナンス管理サーバで管理し、緑化パネルの最適なメンテナンス時期にパネル情報の通知を行うことができる。
【００１３】
第５の発明は、コンピュータを前記緑化パネルメンテナンス管理サーバとして機能させるプログラムを記録したコンピュータ読み取り可能な記録媒体である。第５の発明に係る記録媒体を使用することによって、パネルＩＤが付与された緑化パネルの設置日時、メンテナンス日等の管理情報をメンテナンス管理サーバで管理し、緑化パネルの最適なメンテナンス時期にパネル情報の通知を行うことができる。
【発明の効果】
【００１４】
本発明により、パネルＩＤが付与された緑化パネルの設置日時、メンテナンス日等の管理情報をメンテナンス管理サーバで管理し、緑化パネルの最適なメンテナンス時期にパネル情報の通知を行う緑化パネルメンテナンスシステムを提供することができる。
【図面の簡単な説明】
【００１５】
【図１】本発明の実施例１での緑化パネルメンテナンスシステム１０１の概略構成を示す図
【図２】緑化パネルメンテナンス管理サーバのハードウエア構成図
【図３】携帯端末のハードウエア構成図
【図４】ＩＣタグのハードウエア構成図
【図５】本発明の実施例１での緑化パネルメンテナンス管理サーバの構成例を示すブロック図
【図６】本発明の実施例１での携帯端末の構成例を示すブロック図
【図７】本発明の実施例１での設置情報登録方法を示すフローチャート
【図８】本発明の実施例１でのメンテナンス履歴情報通知更新方法を示すフローチャート
【図９】本発明の実施例２での緑化パネルメンテナンスシステム１０１ａの概略構成を示す図
【図１０】センサのハードウエア構成図
【図１１】本発明の実施例２での緑化パネルメンテナンス管理サーバの構成例を示すブロック図
【図１２】本発明の実施例２での携帯端末の構成例を示すブロック図
【図１３】センサの構成例を示すブロック図
【図１４】本発明の実施例２での設置位置情報登録方法を示すフローチャート
【図１５】本発明の実施例２でのメンテナンス履歴情報通知更新方法を示すフローチャート
【図１６】本発明の実施例２での天候情報取得方法を示すフローチャート
【発明を実施するための形態】
【００１６】
以下図面に基づいて、本発明の実施例１を詳細に説明する。
【００１７】
図１は、本発明の実施例１での緑化パネルメンテナンスシステム１０１の概略構成を示す図である。
サーバ（緑化パネルメンテナンス管理サーバ）１０３と、携帯端末１０５がネットワーク１０７を介して通信可能に接続されている。顧客が指定した場所に設置される緑化パネル１０９は、各々にＩＣタグ１１１が付与されており、緑化パネル１０９ごとにパネルＩＤが決まっている。ＩＣタグ１１１でなく、バーコード、ＱＲコード等でパネルＩＤを付与しても良い。
サーバ１０３は、パネルＩＤと、緑化パネル１０９の設置日時やメンテナンス日時等を関連づけた緑化パネルメンテナンス履歴情報を記録し、携帯端末１０５に、緑化パネル設置位置等のパネル情報を通知するサーバである。携帯端末１０５は、ＩＣタグ１１１のパネルＩＤを入力しサーバ１０３に送信し、サーバ１０３が送信したメンテナンス対象の緑化パネルのパネル情報を受信する。
【００１８】
図２は、サーバ１０３のハードウエア構成図である。尚、図２のハードウエア構成は一例であり、用途、目的に応じて様々な構成をとることが可能である。
サーバ１０３は、制御部２０１、記憶部２０３、表示部２０５、入力部２０７、通信部２０９、メモリ２１３等がバス２１１を介して接続される。
制御部２０１は、記憶部２０３、メモリ２１３等に格納されるプログラムの実行を行い、バス２１１を介して接続された各装置を駆動制御し、サーバ１０３が行う後述する処理を実現する。
【００１９】
メモリ２１３は、各種プログラムやデータ等を格納する。
記憶部２０３は、ＨＤＤ（ハードディスクドライブ）であり、制御部２０１が実行するプログラム、オペレーティングシステム、各種データ等を格納する。
表示部２０５は、ＣＲＴモニタ、液晶パネル等のディスプレイ装置等を備える。
【００２０】
入力部２０７は、データの入力を行い、例えば、キーボード、マウス等のポインティングデバイス、テンキー等の入力装置を有する。入力部２０７を介して、コンピュータに対して、操作指示、動作指示、データ入力等を行うことができる。
通信部２０９は、コンピュータとネットワーク１０７との間の通信を媒介する通信インタフェースであり、ネットワーク１０７を介して、外部と接続及び通信する制御を行う。
バス２１１は、各装置間の制御信号、データ信号等の授受を媒介する経路である。
【００２１】
図３は、携帯端末１０５のハードウエア構成図である。尚、図３のハードウエア構成は一例であり、用途、目的に応じて様々な構成をとることが可能である。      
【００２２】
携帯端末１０５は、アンテナ部３０１、受信部３０３、送信部３０５、制御部３０７、メモリ３０９、表示部３１１、入力部３１３、位置情報取得部３１５等から構成される。
制御部３０７は、内蔵するプログラムに応じて、各種処理を行う。また、メモリ３０９から、プログラム及びデータを呼び出し、メモリ３０９に、プログラム及びデータを記憶させる。
【００２３】
メモリ３０９は、制御部３０７における処理に使用されるプログラム及びデータ等を記憶している。
送信部３０５は、制御部３０７より供給されたデータを、アンテナ部３０１を介して送信する。
受信部３０３は、アンテナ部３０１を介してデータを受信し、制御部３０７に出力する。
【００２４】
表示部３１１は、制御部３０７から供給されたデータを表示し、入力部３１３は、ＩＣタグ１１１が発信するパネルＩＤを受信し、制御部３０７に受信したデータを出力する。なお、本実施の形態では、ＩＣタグ１１１の電波を読み取る手段のみを示しているが、キーボードでパネルＩＤを入力する手段やバーコードを読み取る手段を備えてもよいし、いずれか１つの入力手段のみを備えるようにしてもよい。
【００２５】
位置情報取得部３１５は、携帯端末１０５の現在位置を取得するためのものであり、例えば、ＧＰＳ（Ｇｌｏｂａｌ  Ｐｏｓｉｔｉｏｎｉｎｇ  Ｓｙｓｔｅｍ）衛星との間の通信により現在地の位置情報（緯度及び経度）を検出するＧＰＳである。
【００２６】
図４は、緑化パネル１０９に設置するＩＣタグ１１１のハードウエア構成図である。
ＩＣタグ１１１は、アンテナ部４０１、通信部４０３、メモリ４０５、制御部４０７等から構成される。
【００２７】
制御部４０７は、プログラムを実行し、各装置を駆動制御する。メモリ４０５は、プログラムやデータ等を格納する。
通信部４０３は、通常は携帯端末１０５と近距離無線通信を行う無線通信インタフェースであり、アンテナ部４０１を介して、携帯端末１０５と通信する制御を行う。
【００２８】
次に、図５及び図６を参照しながら、本発明の実施例１でのサーバ１０３、携帯端末１０５の機能を実現する構成例について説明する。
【００２９】
図５は、本発明の実施例１におけるサーバ１０３の構成例を示すブロック図である。
サーバ１０３は、緑化パネルメンテナンス履歴情報記録手段５０１、緑化パネルメンテナンス履歴情報抽出条件記録手段５０３、メンテナンス対象緑化パネル抽出手段５０５、メンテナンス対象緑化パネル情報通知手段５０７、設置位置情報記録手段５０９等を備える。
【００３０】
緑化パネルメンテナンス履歴情報記録手段５０１は、パネルＩＤと、当該緑化パネル１０９を設置した設置日時やメンテナンスを行ったメンテナンス日時等（作業日時情報）を関連付けた緑化パネルメンテナンス履歴情報を記録する。新規の緑化パネル１０９を設置した場合は、パネルＩＤと設置日時を緑化パネルメンテナンス履歴情報に新規に登録する。既存の緑化パネル１０９をメンテナンスした場合は、当該パネルＩＤのレコードにメンテナンス日時を記録する。
【００３１】
緑化パネルメンテナンス履歴情報抽出条件記録手段５０３は、緑化パネルメンテナンス履歴情報からメンテナンス対象の緑化パネル１０９を抽出するための条件を予め記録する。抽出条件は、例えば、「前回メンテナンス履歴がなく、設置日時から１カ月経過した緑化パネル」や「前回メンテナンスから１カ月経過した緑化パネル」等である。
【００３２】
メンテナンス対象緑化パネル抽出手段５０５は、抽出条件に従い緑化パネルメンテナンス履歴情報からメンテナンス対象の緑化パネル１０９のパネルＩＤを抽出する。抽出は、常時もしくは予め定められた契機に行われる。例えば、毎日午前８時に行う。
【００３３】
メンテナンス対象緑化パネル情報通知手段５０７は、抽出したメンテナンス対象の緑化パネル１０９のパネルＩＤをキーに設置位置情報から当該緑化パネルの設置位置を取得し、設置位置とパネルＩＤを携帯端末１０５に通知する。
設置位置情報記録手段５０９は、パネルＩＤと緑化パネル１０９の設置位置を関連付けて設置位置情報に記録する。顧客と設置契約した時点で記録しても良いし、作業発注前に記録しても良い。
【００３４】
図６は、携帯端末１０５の構成例を示すブロック図である。
図６に示すように、携帯端末１０５は、パネルＩＤ入力手段６０１、設置情報送信手段６０３、メンテナンス対象緑化パネル情報受信手段６０５、メンテナンス履歴情報送信手段６０７等を備える。
【００３５】
パネルＩＤ入力手段６０１は、緑化パネル１０９に付与されているＩＣタグ１１１が送信するパネルＩＤを読み取る。もしくは、緑化パネル１０９にバーコードが付与されており、バーコードリーダでパネルＩＤを読み取ったり、キーボードでパネルＩＤを入力したりしても良い。
【００３６】
設置情報送信手段６０３は、緑化パネル１０９の設置位置とパネルＩＤをサーバ１０３に送信する。
メンテナンス対象緑化パネル情報受信手段６０５は、サーバ１０３が送信したメンテナンス対象の緑化パネル１０９のパネルＩＤと設置位置を受信する。
メンテナンス履歴情報送信手段６０７は、メンテナンス後の緑化パネル１０９のメンテナンス日時等をサーバ１０３に送信する。
【００３７】
続いて、図７を用いて、本発明の実施例１での設置情報登録方法を説明する。
図７は、緑化パネル１０９を新規に設置する際の設置情報登録方法を示すフローチャートである。
緑化パネル１０９を新規に設置した場合、携帯端末１０５が当該緑化パネル１０９のパネルＩＤを入力し（Ｓ７０１）、パネルＩＤをサーバ１０３に送信する（Ｓ７０３）。サーバ１０３は、パネルＩＤを受信し、パネルＩＤと設置した設置日時を１レコードとして緑化パネルメンテナンス履歴情報に新規に登録する（Ｓ７０５）。設置日時については、サーバ１０３が、パネルＩＤ受信時もしくは登録時の日時を付与しても良いし、携帯端末１０５が、パネルＩＤ送信時の日時を付与して送信しても良い。
【００３８】
図８は、本発明の実施例１でのメンテナンス履歴情報通知更新方法を示すフローチャートである。
サーバ１０３は、予め記録されている抽出条件に従い、緑化パネルメンテナンス履歴情報の中からメンテナンス対象の緑化パネル１０９のパネルＩＤを抽出する（Ｓ８０１）。抽出したパネルＩＤをキーに設置位置情報より設置位置を取得し、携帯端末１０５にパネルＩＤと設置位置を送信する（Ｓ８０３）。
【００３９】
携帯端末１０５は、受信したパネルＩＤと設置位置を表示し（Ｓ８０５）、作業者がメンテナンス作業を行う。メンテナンス終了後、携帯端末１０５は、作業終了した緑化パネル１０９のパネルＩＤを入力し（Ｓ８０７）、サーバ１０３に送信する（Ｓ８０９）。
サーバ１０３は、受信したパネルＩＤと一致する緑化パネルメンテナンス履歴情報を抽出し、メンテナンス日時を更新する（Ｓ８１１）。メンテナンス日時については、サーバ１０３が、パネルＩＤ受信時もしくは更新時の日時を付与しても良いし、携帯端末１０５がパネルＩＤ送信時の日時を付与して送信しても良い。
実施例１によって、パネルＩＤが付与された緑化パネル１０９の設置日時、メンテナンス日等の管理情報をサーバ１０３で管理し、携帯端末１０５に対して緑化パネル１０９の最適なメンテナンス時期の通知を行うことができる。
【００４０】
次に、本発明の実施例２について説明する。以下、実施例１の形態と同じ要素については同じ符号を付し、重複した説明を省略する。
図９は、実施例２での緑化パネルメンテナンスシステム１０１ａの概略構成を示す図である。
サーバ１０３と、複数の携帯端末１０５がネットワーク１０７を介して通信可能に接続されている。センサ９０１は、天候情報を収集し、サーバ１０３に天候情報を送信する。天候情報は、例えば、雨量、気温、照度等である。センサ９０１は、緑化パネル１０９を設置した場所に設置する。
【００４１】
図１０は、センサ９０１のハードウエア構成図である。
センサ９０１は、アンテナ部１００１、通信部１００３、メモリ１００５、制御部１００７、測定部１００９等から構成される。
【００４２】
制御部１００７は、プログラムを実行し、各装置を駆動制御する。メモリ１００５は、プログラムやデータ等を格納する。
通信部１００９は、センサ９０１とネットワーク１０７との間の通信を媒介する通信インタフェースであり、アンテナ部１００１を介して、ネットワーク１０７と通信する制御を行う。
【００４３】
測定部１００９は、天候情報を測定するものであり、例えば、温度センサであれば、外気の気温を測定し、照度センサであれば、照度を測定する。測定部１００９は、測定したデータを制御部１００７に出力し、通信部１００３を介してアンテナ部１００１にデータを出力し、アンテナ部１００１はデータを送信する。
【００４４】
次に、図１１から図１３を参照しながら、本発明の実施例２でのサーバ１０３、携帯端末１０５、センサ９０１の機能を実現する構成例について説明する。
【００４５】
図１１は、実施例２におけるサーバ１０３の構成例を示すブロック図である。
サーバ１０３は、緑化パネルメンテナンス履歴情報記録手段５０１、緑化パネルメンテナンス履歴情報抽出条件記録手段１１０１、メンテナンス対象緑化パネル抽出手段５０５、メンテナンス対象緑化パネル情報通知手段１１０３、天候情報問い合わせ手段１１０５、センサ設置情報記録手段１１０７、緑化パネル設置位置情報記録手段１１０９、天候情報記録手段１１１１、緑化パネル契約種別情報記録手段１１１３、緑化パネル植生情報記録手段１１１５等を備える。
【００４６】
緑化パネルメンテナンス履歴情報抽出条件記録手段１１０１は、緑化パネルメンテナンス履歴情報からメンテナンス対象の緑化パネル１０９を抽出するための条件を予め記録する。抽出条件は、例えば、「前回メンテナンス履歴がなく、設置日時から１カ月経過した緑化パネル」や「前回メンテナンスから１カ月経過した緑化パネル」等である。さらに、緑化パネル契約種別情報にある、メンテナンスの頻度を定めたメンテナンス種別を参照して、例えば、「３か月に１回のメンテナンス」等の条件を追加することも可能である。また、緑化パネル植生情報にある、植生種別を参照して、例えば、「植生が芝でかつ前回メンテナンスから２か月経過した緑化パネル」等の条件を追加することも可能である。天候情報を参照して、例えば、「植生が芝でかつ連続３日最高気温４０度以上」、「雨量月１ｍｍ以下」等の条件も追加しても良い。
【００４７】
メンテナンス対象緑化パネル情報通知手段１１０３は、抽出したメンテナンス対象の緑化パネル１０９のパネルＩＤをキーに設置位置情報から当該緑化パネルの設置位置を取得し、設置位置とパネルＩＤを携帯端末１０５に通知する。
このとき、複数ある携帯端末１０５のうち特定の携帯端末１０５にパネル情報を通知しても良い。携帯端末１０５ごとに設置位置範囲を予め設定したり、携帯端末１０５が一定間隔でＧＰＳ情報をサーバ１０３に送信し、ＧＰＳ情報から例えば半径１ｋｍ以内の緑化パネル１０９のパネル情報を通知したりしても良い。また、すべての抽出結果を携帯端末台数で分割し、過不足なくそれぞれの携帯端末１０５に通知しても良い。
さらに、顧客からの要求に応じて、緑化パネルメンテナンス履歴情報をＷｅｂ画面で提示しても良い。この場合、顧客の認証が必要となり、ユーザＩＤや端末ＩＤで認証を行う。
【００４８】
天候情報問い合わせ手段１１０５は、センサ設置情報を参照して、天候情報をセンサ９０１に問い合わせる。問い合わせを行う契機は予め決められており、例えば、３時間おきに実施する。また、センサ９０１に問い合わせるのではなく、インターネット上の天候情報提供サーバに対しセンサ９０１の設置位置情報をもとに問い合わせをしても良い。
センサ設置情報記録手段１１０７は、緑化パネル１０９の設置個所に設置したセンサ９０１の設置位置情報をセンサＩＤに関連づけて記録する。
【００４９】
緑化パネル設置位置情報記録手段１１０９は、緑化パネル１０９を設置した設置位置をパネルＩＤと関連付けて設置位置情報に記録する。設置位置は、携帯端末１０５が送信したデータを使用する。
天候情報記録手段１１１１は、センサ９０１から受信した天候情報もしくは天候情報提供サーバが提供した天候情報を、センサ９０１の設置位置と関連付けて記録する。さらに、天候情報を収集した日時を付与しても良い。収集した日時は、サーバ１０３が、天候情報受信時または記録時の日時でも良いし、携帯端末１０５が天候情報を送信した日時でも良い。
【００５０】
緑化パネル契約種別情報記録手段１１１３は、顧客との契約種別をパネルＩＤと関連付けて緑化パネル契約種別情報に記録する。契約種別情報とは、メンテナンス種別や植生種別等を定めたものである。契約種別情報は、顧客との契約時や緑化パネル製造時や入庫時に予め記録する。
緑化パネル植生情報記録手段１１１５は、緑化パネル１０９に植え付けた植物の種別をパネルＩＤと関連付けて緑化パネル植生情報に記録する。
サーバ１０３は、緑化パネルメンテナンス履歴情報と緑化パネル契約種別情報と緑化パネル植生情報から、メンテナンス種別と比較して交換履歴の多い緑化パネル１０９を抽出し、顧客に対する植生種別変更や設置場所変更の提案が必要かどうか判定を行うことも可能である。すなわち、サーバ１０３は、顧客に対する植生変更提案の可否を判定する植生変更提案可否判定手段を備えても良い。例えば、交換履歴の多い緑化パネル１０９については現在の環境に適さない可能性が高いことから、他の植生種別に変更するように提案することができる。また、例えば、新規顧客に緑化パネル１０９の設置を勧める際、環境が似ている建物（例えば、隣接する建物など）において既に設置している緑化パネル１０９の交換が頻繁に行われている場合、その植生種別については設置をしないように提案することができる。
【００５１】
図１２は、実施例２における携帯端末１０５の構成例を示すブロック図である。
携帯端末１０５は、パネルＩＤ入力手段６０１、設置情報送信手段６０３、メンテナンス緑化パネル情報受信手段６０５、メンテナンス履歴情報送信手段１２０１、パネル交換情報送信手段１２０３、位置情報入力手段１２０５等を備える。
【００５２】
メンテナンス履歴情報送信手段１２０１は、メンテナンス終了後に当該緑化パネル１０９のパネルＩＤを送信する。さらに、メンテナンス履歴としてメンテナンス実行の有無を送信しても良いし、雑草除去、施肥、刈り取り等のメンテナンス種別ごとのメンテナンス日時を送信しても良い。
パネル交換情報送信手段１２０３は、緑化パネル１０９を交換した場合に交換した緑化パネル１０９の交換情報を送信する。交換情報には、パネルＩＤ、設置位置等が含まれる。また、交換日時を付与しても良い。
位置情報入力手段１２０５は、緑化パネル１０９の設置位置を入力する。ＧＰＳ機能を利用しても良いし、キーボードで住所を入力しても良い。
また、携帯端末１０５は、植生情報入力手段（図示せず）を備えていても良い。新規に設置した緑化パネル１０９に植え付けた植生の種別等を入力する。
また、携帯端末１０５は、契約種別情報入力手段（図示せず）を備えていても良い。顧客との契約種別を携帯端末１０５が入力する。
【００５３】
図１３は、センサ９０１の構成例を示すブロック図である。
センサ９０１は、天候情報収集手段１３０１、天候情報送信手段１３０３等を備える。
天候情報収集手段１３０１は、天候情報のデータを収集する。例えば、温度センサや照度センサ等を用いて収集する。単一のセンサで天候情報を収集しても良いし、複数のセンサで複数の情報を収集しても良い。
天候情報送信手段１３０３は、収集した天候情報をサーバ１０３に送信する。また、収集した日時を付与して送信しても良い。
【００５４】
次に、図１４を用いて、本発明の実施例２での設置情報登録方法を説明する。
図１４は、緑化パネルを新規に設置する際の設置情報登録方法を示すフローチャートである。
【００５５】
携帯端末１０５は、緑化パネル１０９のパネルＩＤを入力し（Ｓ１４０１）、さらに設置位置を入力する（Ｓ１４０３）。入力したパネルＩＤと設置位置をサーバ１０３に送信する（Ｓ１４０５）。サーバ１０３は、受信したパネルＩＤと設置位置、設置日時を関連付けて、緑化パネルメンテナンス履歴情報に新規登録する（Ｓ１４０７）。設置日時については、サーバ１０３が、パネルＩＤ受信時もしくは登録時の日時を付与しても良いし、携帯端末１０５が、パネルＩＤ送信時の日時を付与して送信しても良い。
【００５６】
図１５は、メンテナンス履歴情報通知更新方法を示すフローチャートである。
サーバ１０３は、抽出条件に従い、緑化パネルメンテナンス履歴情報の中からメンテナンス対象緑化パネルを抽出する（Ｓ１５０１）。抽出した緑化パネルのパネルＩＤをキーに設置位置情報から当該緑化パネルの設置位置を取得する（Ｓ１５０３）。サーバ１０３は、パネルＩＤと設置位置を送信する（Ｓ１５０５）。
携帯端末１０５は、受信したパネルＩＤと設置位置を表示し（Ｓ１５０７）、作業者は表示された情報に従い、メンテナンス作業を行う。メンテナンス終了後、携帯端末１０５は、メンテナンスが終了した緑化パネル１０９のパネルＩＤを入力し（Ｓ１５０９）、メンテナンス作業の内容がパネル交換の場合は（Ｓ１５１１）、新たに設置した緑化パネル１０９の交換情報を送信する（Ｓ１５１３）。メンテナンス作業内容がパネル交換でない場合は、作業を行ったパネルＩＤを送信する（Ｓ１５１５）。
サーバ１０３は、携帯端末１０５から交換情報を受信した場合、パネルを新たに交換したと判断して（Ｓ１５１７）、受信したパネルＩＤと交換日時を関連付けて緑化パネルメンテナンス履歴情報に新規登録する（Ｓ１５２１）。さらに、受信したパネルＩＤと設置位置を関連付けて設置位置情報に新規登録する（Ｓ１５２３）。交換情報を受信しなかった場合は、受信したパネルＩＤをキーに緑化パネルメンテナンス履歴情報を検索し当該緑化パネル１０９のメンテナンス実行日時を上書きで更新する（Ｓ１５１９）。
尚、メンテナンス履歴情報には、過去の全てのメンテナンス履歴を時系列順に記録しても良い。この場合には、メンテナンス実行日時を上書きで更新せず、過去のデータと併存させて記録する。
【００５７】
図１６は、本発明の実施例２での、センサを用いた天候情報取得方法を示すフローチャートである。
サーバ１０３は、センサ設置情報よりセンサの設置位置を取得し（Ｓ１６０１）、当該センサに天候情報を問い合わせる（Ｓ１６０３）。
センサ９０１は、問い合わせ指示に従い、現在の天候情報を収集し（Ｓ１６０５）、収集した天候情報を送信する（Ｓ１６０７）。
サーバ１０３は、受信した天候情報を設置位置と関連付けて記録する（Ｓ１６０９）。
【００５８】
以上説明したように、実施例２によれば、パネルＩＤが付与された緑化パネル１０９の設置日時、メンテナンス日等の管理情報をサーバ１０３で管理し、緑化パネル１０９の最適なメンテナンス時期にパネル情報の通知を行うことができる。
また、各々の緑化パネル１０９をパネルＩＤで管理することによって、同一箇所に設置されている複数枚の緑化パネル１０９のうち、最近交換済み等の緑化パネル１０９に対してメンテナンスが不要であることを、作業者に知らせることにより、作業効率を高めることが可能である。
さらに、パネルＩＤで管理することによって、交換が頻繁に起こる可能性のある植生や設置個所等を抽出することも可能である。
作業者がメンテナンス作業を行う際に、携帯端末１０５が、緑化パネル１０９設置前後での天候情報の変化情報等をサーバ１０３に要求し、サーバ１０３は、変化情報等を送信することもできる。
【００５９】
以上、添付図面を参照しながら、本発明に係る緑化パネルメンテナンスシステム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００６０】
１０１、１０１ａ………緑化パネルメンテナンスシステム
１０３………サーバ
１０５………携帯端末
１０９………緑化パネル
１１１………ＩＣタグ
【図１】
2010287003.tif 000003
【図２】
2010287003.tif 000004
【図３】
2010287003.tif 000005
【図４】
2010287003.tif 000006
【図５】
2010287003.tif 000007
【図６】
2010287003.tif 000008
【図７】
2010287003.tif 000009
【図８】
2010287003.tif 000010
【図９】
2010287003.tif 000011
【図１０】
2010287003.tif 000012
【図１１】
2010287003.tif 000013
【図１２】
2010287003.tif 000014
【図１３】
2010287003.tif 000015
【図１４】
2010287003.tif 000016
【図１５】
2010287003.tif 000017
【図１６】
2010287003.tif 000018